(57)【特許請求の範囲】
【請求項１】
電力を供給する電力供給手段と、
対応する機器を示す対応機器識別情報が記憶されている対応機器記憶手段とを含む電力供給装置、および
前記対応機器記憶手段に記憶されている前記対応機器識別情報を読み出す情報読み出し手段と、
自モジュールが搭載されている機器を示す自機器識別情報が記憶されている自機器記憶手段と、
前記情報読み出し手段が前記対応機器記憶手段から読み出した前記対応機器識別情報が示す機器に合致する機器を示す前記自機器識別情報が前記自機器記憶手段に記憶されている場合に、前記機器の主回路に前記電力供給手段が供給した電力を供給する電力供給制御手段とを含む電力制御モジュールを備え、
前記電力制御モジュールは、前記情報読み出し手段に電力を供給する電池を含み、
前記情報読み出し手段には、前記電池からの電力が供給され、前記電力供給手段からの電力は供給されない
ことを特徴とする電力供給システム。
【請求項２】
前記情報読み出し手段は、前記対応機器記憶手段に記憶されている情報を近距離無線通信で読み出す
請求項１に記載の電力供給システム。
【請求項３】
前記対応機器記憶手段には、前記電力供給手段が供給する電圧および電流の定格値を示す定格出力情報が記憶され、
前記情報読み出し手段は、前記対応機器記憶手段に記憶されている前記定格出力情報を読み出し、
前記自機器記憶手段には、自モジュールが搭載されている機器の入力電圧および入力電流の定格値を示す定格入力情報が記憶され、
前記電力供給制御手段は、前記情報読み出し手段が読み出した前記定格出力情報と前記自機器記憶手段に記憶されている前記定格入力情報とに応じて、前記機器の主回路に前記電力供給手段が供給した電力を供給する
請求項１または請求項２に記載の電力供給システム。
【発明の詳細な説明】
【技術分野】
【０００１】
本発明は、機器に電力を供給する電力供給システムおよび電力供給方法に関する。
【背景技術】
【０００２】
商用電源から供給される電力等の所定の交流電力を所定の直流電力に変換して電気機器に供給するＡＣ（Ａｌｔｅｒｎａｔｉｎｇ  Ｃｕｒｒｅｎｔ）アダプタがある。電気機器を正常に動作させるために、当該電気機器に応じたＡＣアダプタが使用されることが望ましい。
【０００３】
特許文献１には、電気機器とＡＣアダプタとが互いに情報を送受信して、当該ＡＣアダプタが正規品でない模造品であると当該電気機器が判断した場合に、当該ＡＣアダプタによる電力供給を停止させる方法が記載されている。
【先行技術文献】
【特許文献】
【０００４】
【特許文献１】特開２００７−１１０８５３号公報
【発明の概要】
【発明が解決しようとする課題】
【０００５】
しかし、特許文献１に記載されている方法では、ＡＣアダプタが、電気機器から送信された情報を受信するための受信手段や、当該受信手段が受信した情報に基づいて演算処理する演算処理手段等を備えていなければならない。したがって、ＡＣアダプタのコストが高くなるという問題がある。
【０００６】
また、特許文献１に記載されている方法では、ＡＣアダプタが正規品であるか否かが判断されるまで、当該ＡＣアダプタによって電気機器に電力が供給される。したがって、劣悪な品質の電力を供給する模造品が電気機器に接続された場合に、当該劣悪な品質の電力が電気機器に供給され、当該電気機器の動作に問題が生じるおそれがある。
【０００７】
そこで、本発明は、低コストで、模造品による電力供給を良好に防止することができる電力供給システムおよび電力供給方法を提供することを目的とする。
【課題を解決するための手段】
【０００８】
本発明による電力供給システムは、電力を供給する電力供給手段と、対応する機器を示す対応機器識別情報が記憶されている対応機器記憶手段とを含む電力供給装置、および対応機器記憶手段に記憶されている対応機器識別情報を読み出す情報読み出し手段と、自モジュールが搭載されている機器を示す自機器識別情報が記憶されている自機器記憶手段と、情報読み出し手段が対応機器記憶手段から読み出した対応機器識別情報が示す機器に合致する機器を示す自機器識別情報が自機器記憶手段に記憶されている場合に、機器の主回路に電力供給手段が供給した電力を供給する電力供給制御手段とを含む電力制御モジュールを備えたことを特徴とする。
【０００９】
本発明による電力供給方法は、電力を供給する電力供給手段と、対応する機器を示す対応機器識別情報が記憶されている対応機器記憶手段とを含む電力供給装置の対応機器記憶手段から対応機器識別情報を読み出す情報読み出しステップと、搭載されている機器を示す自機器識別情報が記憶されている自機器記憶手段に情報読み出しステップで読み出した対応機器識別情報が示す機器に合致する機器を示す自機器識別情報が記憶されている場合に、機器の主回路に電力供給手段が供給した電力を供給する電力供給制御ステップとを含むことを特徴とする。
【発明の効果】
【００１０】
本発明によれば、低コストで、模造品による電力供給を良好に防止することができる。
【図面の簡単な説明】
【００１１】
【図１】本発明の第１の実施形態の電力供給システムの構成例を示す説明図である。
【図２】近距離無線通信回路部の構成例を示すブロック図である。
【図３】本発明の第１の実施形態の電力供給システムの動作を示すフローチャートである。
【図４】本発明の第２の実施形態の電力供給システムの構成例を示すブロック図である。
【図５】本発明の第３の実施形態の電力供給システムの構成例を示すブロック図である。
【図６】本発明の第４の実施形態の電力供給システムの構成例を示すブロック図である。
【発明を実施するための形態】
【００１２】
実施形態１．
本発明の第１の実施形態の電力供給システムについて、図面を参照して説明する。図１は、本発明の第１の実施形態の電力供給システムの構成例を示す説明図である。図１に示すように、本発明の第１の実施形態の電力供給システムは、ＡＣアダプタ１００に内蔵された近距離無線通信タグ１１０および変換部１２０と、電気機器２００に設けられた近距離無線通信回路部２１０およびスイッチ２２０とを含む。近距離無線通信タグ１１０には、内蔵されるＡＣアダプタ１００が対応する電気機器２００や主回路部２３０を識別する識別情報（対応機器識別情報）が予め記憶されている。そして、近距離無線通信回路部２１０は、例えば、ＮＦＣ（登録商標、Ｎｅａｒ  Ｆｉｅｌｄ  Ｃｏｍｍｕｎｉｃａｔｉｏｎ）規格に基づいて、近距離無線通信タグ１１０に記憶されている識別情報を読み出す。
【００１３】
ＡＣアダプタ１００は、一方の電力接続端である受電端にＡＣプラグ１３０が配置され、他方の電力接続端である送電端にＤＣ（Ｄｉｒｅｃｔ  Ｃｕｒｒｅｎｔ）プラグ１４０が配置されている。そして、ＡＣアダプタ１００の変換部１２０は、ＡＣプラグ１３０が受電した交流電力を所定の電圧および電流の直流電力に変換する。そして、ＡＣアダプタ１００は、変換後の直流電力をＤＣプラグ１４０から出力する。
【００１４】
電気機器２００には、主回路部２３０、およびＤＣジャック２４０がさらに設けられている。ＡＣアダプタ１００のＤＣプラグ１４０と電気機器２００のＤＣジャック２４０とは、互いに接続可能に構成された汎用品であることが好ましい。また、ＡＣプラグ１３０も、汎用品であることが好ましい。近距離無線通信回路部２１０はＤＣジャック２４０に供給された直流電力に基づいて動作して、スイッチ２２０をオン状態とオフ状態との間で互いに遷移させる。スイッチ２２０がオン状態である場合に、ＤＣジャック２４０に供給された直流電力が主回路部２３０に供給される。スイッチ２２０がオフ状態である場合に、ＤＣジャック２４０に供給された直流電力は主回路部２３０に供給されない。
【００１５】
図２は、近距離無線通信回路部２１０の構成例を示すブロック図である。図２に示すように、近距離無線通信回路部２１０は、情報送受信部２１１、記憶部２１２、照合部２１３、およびスイッチ制御部２１４を含む。
【００１６】
情報送受信部２１１は、近距離無線通信で、ＡＣアダプタ１００の近距離無線通信タグ１１０と情報を送受信する。記憶部２１２には、当該近距離無線通信回路部２１０が設けられている電気機器２００を示す識別情報（自機器識別情報）が記憶されている。なお、記憶部２１２には、電気機器２００に搭載されている主回路部２３０を示す識別情報が記憶されていてもよい。
【００１７】
照合部２１３は、情報送受信部２１１がＡＣアダプタ１００の近距離無線通信タグ１１０から受信した識別情報に合致する識別情報が記憶部２１２に記憶されているか否かを照合する照合処理を行う。スイッチ制御部２１４は、照合部２１３による照合処理結果に応じて、スイッチ２２０のオン／オフ制御を行う。なお、スイッチ２２０は、スイッチ制御部２１４によってオン状態に制御されていないときには、オフ状態であるとする。
【００１８】
次に、本発明の第１の実施形態の電力供給システムの動作について説明する。図３は、本発明の第１の実施形態の電力供給システムの動作を示すフローチャートである。ＡＣアダプタ１００のＡＣプラグ１３０が商用電源コンセントに接続され、ＤＣプラグ１４０が電気機器２００のＤＣジャック２４０に接続された場合に、ＡＣアダプタ１００の変換部１２０は、商用電源コンセントから供給された電力を所定の電力および電流の直流電力に変換する。そして、変換後の直流電力が電気機器２００に供給される。より具体的には、ＤＣジャック２４０を介して近距離無線通信回路部２１０に供給される。直流電力が供給された近距離無線通信回路部２１０は、動作を開始して（ステップＳ１０１）、例えば、近距離無線通信タグ１１０が電力を発生するための磁界を発生させる。
【００１９】
近距離無線通信回路部２１０の情報送受信部２１１は、自情報送受信部２１１の近傍に近距離無線通信タグ１１０があることを検出した場合に（ステップＳ１０２のＹ）、当該近距離無線通信タグ１１０に記憶されている識別情報を読み出す（ステップＳ１０３）。
【００２０】
照合部２１３は、情報送受信部２１１がステップＳ１０３の処理で近距離無線通信タグ１１０から読み出した識別情報によって示される電気機器に合致する電気機器を示す識別情報が記憶部２１２に記憶されているか否かを照合する照合処理を行う（ステップＳ１０４）。なお、近距離無線通信タグ１１０から読み出した識別情報によって示される電気機器に合致する電気機器を示す識別情報が記憶部２１２に記憶されている場合に、互いの識別情報が合致したという。
【００２１】
スイッチ制御部２１４は、ステップＳ１０４における照合処理で、互いの識別情報が合致した場合に（ステップＳ１０５のＹ）、スイッチ２２０をオフ状態からオン状態に遷移させる（ステップＳ１０６）。そうすると、ＤＣプラグ１４０を介して供給された電力が、スイッチ２２０を介して主回路部２３０に供給される。
【００２２】
本実施形態によれば、ＡＣアダプタに演算処理手段等を備える場合に比べて低コストで、所定の識別情報が記憶された近距離無線通信タグ１１０を内蔵していない模造品による主回路部２３０への電力供給を良好に防止することができる。
【００２３】
また、本実施形態によれば、ＡＣプラグ１３０、ＤＣプラグ１４０、およびＤＣジャック２４０に汎用品を用いることができるので、図１に示す電力供給システムをより低コストで提供することができる。
【００２４】
なお、本実施形態では、近距離無線通信タグ１１０および記憶部２１２に電気機器２００を示す識別情報がそれぞれ記憶されているが、近距離無線通信タグ１１０および記憶部２１２に、ＡＣアダプタ１００を示す識別情報がそれぞれ記憶されていてもよい。そして、照合部２１３が互いの識別情報が示すＡＣアダプタ１００が合致すると判断した場合に、スイッチ制御部２１４がスイッチ２２０をオン状態に遷移させるように構成されていてもよい。
【００２５】
実施形態２．
次に、本発明の第２の実施形態の電力供給システムについて説明する。図４は、本発明の第２の実施形態の電力供給システムの構成例を示すブロック図である。図４に示すように、本実施形態の電力供給システムは、近距離無線通信回路部２１０に電力を供給する電池４００を含む。図４に示す例では、電池４００は、電気機器２０２に設けられている。その他の構成は、図１に示す構成と同様なため、対応する各構成要素には図１と同じ符号を付して説明を省略する。
【００２６】
図１に示す第１の実施形態の電力供給システムでは、模造品による主回路部２３０への電力供給を防止することはできるが、近距離無線通信回路部２１０へ当該模造品によって電力供給されてしまう。よって、当該模造品が供給した劣悪な電力から近距離無線通信回路２１０を保護するための保護回路を設けることが好ましい。
【００２７】
それに対して本実施形態の電力供給システムは、電池４００が近距離無線通信回路部２１０へ電力供給するので、第１の実施形態における電力供給システムと同様な効果に加え、当該保護回路の設計および設置の手間を省くとともに、コストを削減することができるという効果を奏することができる。
【００２８】
実施形態３．
次に、本発明の第３の実施形態について説明する。図５は、本発明の第３の実施形態の電力供給システムの構成例を示すブロック図である。図５に示すように、本実施形態の電力供給システムは、近距離無線通信回路部２１０に電力を供給する送電部５０１および受電部５０２を含む。その他の構成は、図１に示す構成と同様なため、対応する各構成要素には図１と同じ符号を付して説明を省略する。
【００２９】
図５に示すように、送電部５０１は、ＡＣアダプタ１０３に設けられ、所定の周波数で交流電力を送電する。つまり、送電部５０１は受電部５０２にワイヤレスで給電する。また、受電部５０２は、電気機器２０３に設けられて近距離無線通信回路部２１０に接続されている。受電部５０２は、送電部５０１が給電した電力を受電して、近距離無線通信回路部２１０に供給する。
【００３０】
なお、ＡＣアダプタ１０３が、ＤＣプラグ１４０とＤＣジャック２４０とが接続されていることを検出する検出手段（図示せず）を有していてもよい。そして、当該検出手段が、ＤＣプラグ１４０とＤＣジャック２４０とが接続されていると検出した場合に、送電部５０１が受電部５０２にワイヤレスで給電する。
【００３１】
本実施形態によれば、第１の実施形態における電力供給システムと同様な効果を奏することができる。
【００３２】
以上に述べた各実施形態では、ＡＣアダプタ１００の近距離無線通信タグ１１０には、識別情報が予め記憶されているが、ＡＣアダプタ１００の定格出力電圧と定格出力電流とを示す定格出力情報が記憶されていてもよい。また、近距離無線通信回路部２１０の記憶部２１２には、主回路部２３０の定格入力電圧と定格入力電流とを示す定格入力情報が記憶されていてもよい。そして、近距離無線通信回路部２１０の情報送受信部２１１は、近距離無線通信タグ１１０に記憶されている定格出力情報を読み出す。照合部２１３は、情報送受信部２１１が読み出した定格出力情報と記憶部２１２に記憶されている定格入力情報とが合致するか否かを照合する。なお、定格出力情報と定格入力情報とが合致するとは、定格出力情報によって示される定格出力電圧と定格入力情報によって示される定格入力電圧とが互いに合致し、定格出力情報によって示される定格出力電流が定格入力情報によって示される定格入力電流よりも大きいことをいう。
【００３３】
そして、スイッチ制御部２１４は、照合部２１３が定格出力情報と定格入力情報とが合致すると判定した場合に、スイッチ２２０をオフ状態からオン状態に遷移させる。
【００３４】
そのような構成によれば、主回路部２３０の許容範囲内の電力を供給するＡＣアダプタを使用可能にすることができる。
【００３５】
実施形態４．
次に、本発明の第４の実施形態について説明する。図６は、本発明の第４の実施形態の電力供給システムの構成例を示すブロック図である。図６に示すように、本発明の第４の実施形態の電力供給システムは、電力供給装置１０と電力制御モジュール２０とを含む。電力供給装置１０は、図１，４，５に示すＡＣアダプタ１００，１０３に相当する。
【００３６】
電力供給装置１０は、対応機器記憶手段１１と電力供給手段１２とを含む。対応機器記憶手段１１には、対応する機器を示す対応機器識別情報が記憶されている。電力供給手段１２は、電力を供給する。
【００３７】
対応機器記憶手段１１は、図１，４，５に示す近距離無線通信タグ１１０に相当する。電力供給手段１２は、図１，４，５に示す変換部１２０に相当する。
【００３８】
電力制御モジュール２０は、情報読み出し手段２１と、自機器記憶手段２２と、電力供給制御手段２４とを含む。情報読み出し手段２１は、対応機器記憶手段１１に記憶されている対応機器識別情報を読み出す。自機器記憶手段２２には、自電力制御モジュール２０が搭載されている機器（図１，４，５に示す電気機器２００，２０２，２０３や主回路部２３０に相当）を示す自機器識別情報が記憶されている。電力供給制御手段２４は、情報読み出し手段２１が対応機器記憶手段１１から読み出した対応機器識別情報が示す機器に合致する機器を示す自識別情報が自機器記憶手段２２に記憶されている場合に、機器の主回路に電力供給手段１２が供給した電力を供給する。
【００３９】
情報読み出し手段２１は、図２に示す情報送受信部２１１に相当する。自機器記憶手段２２は、図２に示す記憶部２１２に相当する。電力供給制御手段２４は、図２に示すスイッチ制御部２１４および図１，４，５に示すスイッチ２２０に相当する。
【００４０】
本実施形態によれば、低コストで、模造品による電力供給を良好に防止することができる。
【符号の説明】
【００４１】
１０    電力供給装置
１１    対応機器記憶手段
１２    電力供給手段
２０    電力制御モジュール
２１    情報読み出し手段
２２    自機器記憶手段
２４    電力供給制御手段
１００    ＡＣアダプタ
１１０    近距離無線通信タグ
１２０    変換部
１３０    ＡＣプラグ
１４０    ＤＣプラグ
２００    電気機器
２１０    近距離無線通信回路部
２１１    情報送受信部
２１２    記憶部
２１３    照合部
２１４    スイッチ制御部
２２０    スイッチ
２３０    主回路部
２４０    ＤＣジャック
４００    電池
５０１    送電部
５０２    受電部
【図１】
0006490922.tif 000002
【図２】
0006490922.tif 000003
【図３】
0006490922.tif 000004
【図４】
0006490922.tif 000005
【図５】
0006490922.tif 000006
【図６】
0006490922.tif 000007